(57)【要約】【課題】放送装置や周波数配置の多様化のために、或る放送局の受信から、別の放送局（ギャップフィラーや別の地区の放送局など）の受信への切り替えをスムーズかつシームレスに行うことが極めて困難であった。【解決手段】同一のサービスを複数の物理周波数で放送しているデジタル放送システムのデジタル放送受信装置(100)は、同一のサービスを放送する複数の物理周波数を示す情報を、同一のチャンネル番号に対応付けて格納する記憶部(140)と、デジタル放送を受信している際に、当該デジタル放送の受信品質が劣化すると、当該受信しているデジタル放送のチャンネル番号に対応付けられた、記憶部に格納されている情報に示された他の物理周波数に基づいて、デジタル放送を受信するように制御する制御部(110)とを具える。【選択図】図４
2008289018.tif 000002
【特許請求の範囲】
【請求項１】
同一のサービスを複数の物理周波数で放送しているデジタル放送システムのデジタル放送受信装置であって、
同一のサービスを放送する複数の物理周波数を示す情報を、同一のチャンネル番号に対応付けて格納する記憶部と、
デジタル放送を受信している際に、当該デジタル放送の受信品質が劣化すると、当該受信しているデジタル放送のチャンネル番号に対応付けられた、前記記憶部に格納されている情報に示された他の物理周波数に基づいて、デジタル放送を受信するように制御する制御部と、
を具えることを特徴とするデジタル放送受信装置。
【請求項２】
請求項１に記載のデジタル放送受信装置において、
前記物理周波数の各々は、物理チャンネルである、
ことを特徴とするデジタル放送受信装置。
【請求項３】
請求項１に記載のデジタル放送受信装置において、
前記物理周波数の各々は、物理チャンネルとセグメントとを示す情報である、
ことを特徴とするデジタル放送受信装置。
【請求項４】
請求項１〜３のいずれか１項に記載のデジタル放送受信装置において、
前記記憶部が、物理周波数を示す情報とチャンネル番号の対応付けが異なるチャンネルリストを地域毎に格納し、
前記制御部が、前記記憶部に格納されている情報に示された他の物理周波数に基づくデジタル放送の受信制御で所定の受信品質が得られない場合、現在の地域のチャンネルリストから、他の地域のチャンネルリストに切り替え、該切り替えたチャンネルリストに基づいて、類似のサービスを放送しているデジタル放送を受信するように制御する、
ことを特徴とするデジタル放送受信装置。
【請求項５】
同一のサービスを複数の物理周波数で放送しているデジタル放送システムのデジタル放送受信装置であって、
同一のサービスを放送する複数の物理周波数を示す情報を、同一のチャンネル番号に対応付けて格納する記憶部と、
デジタル放送を受信するたびに、該受信に対応する物理周波数を示すデータを記録する記録部と、
デジタル放送の受信を終了してから新たにデジタル放送の受信を開始する際に、前記記録部に記録されているデータに示された物理周波数に基づいてデジタル放送を受信するように制御すると共に、該制御による受信において所定の受信品質が得られない場合は、当該データに示された物理周波数のチャンネル番号に対応付けられた、前記記憶部に格納されている情報に示された他の物理周波数に基づいて、デジタル放送を受信するように制御する制御部と、
を具えることを特徴とするデジタル放送受信装置。
【請求項６】
請求項５に記載のデジタル放送受信装置において、
前記物理周波数の各々は、物理チャンネルである、
ことを特徴とするデジタル放送受信装置。
【請求項７】
請求項５に記載のデジタル放送受信装置において、
前記物理周波数の各々は、物理チャンネルとセグメントとを示す情報である、
ことを特徴とするデジタル放送受信装置。
【請求項８】
請求項５〜７のいずれか１項に記載のデジタル放送受信装置において、
前記記憶部が、物理周波数を示す情報とチャンネル番号の対応付けが異なるチャンネルリストを地域毎に格納し、
前記制御部が、前記記憶部に格納されている情報に示された他の物理周波数に基づくデジタル放送の受信制御で所定の受信品質が得られない場合、現在の地域のチャンネルリストから、他の地域のチャンネルリストに切り替え、該切り替えたチャンネルリストに基づいて、類似のサービスを放送しているデジタル放送を受信するように制御する、
ことを特徴とするデジタル放送受信装置。
【発明の詳細な説明】
【技術分野】
【０００１】
本発明は、デジタルテレビジョン放送やデジタル音声放送などのデジタル放送システムのデジタル放送受信装置に関するものである。
【背景技術】
【０００２】
日本国において運用されている地上デジタルテレビジョン放送は、ＩＳＤＢ−Ｔ（Integrated Services Digital Broadcasting for Terrestrial）方式と呼ばれ、ＯＦＤＭ(Orthogonal Frequency Division Multiplexing)変調方式を採用している。このＩＳＤＢ−Ｔ方式は、一つのチャンネルの伝送帯域を１３個のセグメントに分割し、そのうちの１個のセグメント（中央のセグメント番号０）を、携帯電話機やＰＤＡ（Personal Digital Assistant）などの携帯端末用の地上デジタル放送、いわゆる１セグ放送に割り当てている。
【０００３】
近年、上述したようなデジタル放送を視聴する機能を搭載した携帯端末が普及してきている。デジタル放送は、地区により放送されている放送局、チャンネル、或いは番組が変わることが多い。携帯端末のデジタル放送受信機能を利用している際には、その性質上、ユーザが携帯端末を携行して移動することが多く、放送地区をまたぐ機会が往々にしてある。また、郊外から都市に通勤・通学しているユーザなどは、在宅時と職場・学校において異なる放送エリアとなることも多い。そのような状況になった場合、従来の携帯端末は受信不可能な旨を示す。或いは、チャンネルスキャンを開始し、系列局が見つかった場合には系列局のチャンネルに選局して受信動作を行う。このようなチャンネルスキャンは、数秒以上の時間が掛かりユーザにストレスを感じさせる。また、スキャンに成功して系列局を受信したとしても、同一番組が放送されていない恐れもある。そこで、チャンネルスキャンの所要時間を短縮化するために、選局の制御手法を改善する従来技術が、多数提案されている（例えば、特許文献１を参照されたい。）。
【０００４】
また、上記のＩＳＤＢ−Ｔ方式を採用する放送装置として、最近では、例えば、複数の放送局のデジタル放送波を受信して、それぞれ１セグ放送を抜き出し、それらを連結して上記の放送局のチャンネルとは異なる所定のチャンネルで再送信するようにした放送装置が提案されている（例えば、特許文献２参照）。また、放送局のデジタル放送波から抜き出した１セグ放送に加えて、独自コンテンツを連結して、所定のチャンネルで送信するように構成した放送装置も提案されている。
【０００５】
【特許文献１】特開２００３−３２５６２２号公報
【特許文献２】特開２００６−１０９２８３号公報
【発明の開示】
【発明が解決しようとする課題】
【０００６】
上記の特許文献１の技術は、チャンネルスキャンの時間を多少低減できるが、チャンネルスキャン処理を行うことは必須であるため、ユーザがストレスを感じなくなる程度まで時間を短縮することは難しい。また、特許文献１の技術もそうであるが、基本的に据え置き型のデジタル放送受信装置を対象とした技術であるため、受信装置が移動して受信状態や受信している放送局が変化した状況に対応することはできない。また、ギャップフィラーやスポット的な形式の放送装置には独自放送と呼ばれるその装置固有の放送が存在することがある。従来技術のようにスキャンして系列局を見付けるだけでは、独自放送の存在に気付かない。ユーザ自身が独自放送を探す行動を起こさなければならない。また、番組表を表示させる際にも、独自チャンネル（独自放送）のものを表示させることは困難である。
【０００７】
さらに、上記の特許文献２に記載のように、所定のチャンネルの各セグメントを１セグ放送で構成して放送する場合には、放送地域が変わると、サービスのセグメント配置が変わることが考えられる。特に、上述した既存のサービスに独自コンテンツを追加して放送する場合には、放送地域が変わると、独自コンテンツやそのセグメント配置が変わる可能性が高くなる。
【０００８】
このため、当該チャンネルにおけるサービスのセグメント配置をユーザが把握して、所望の１セグ放送を部分受信するには、当該チャンネルの放送局のウェブサイトにアクセスして、サービスのセグメント配置情報を取得したり、電子メールを経由して通知してもらったり、或いは、当該チャンネルのセグメントをスキャンして、サービスのセグメント配置を把握したりする必要がある。また、仮に、放送中のセグメントの配置を把握できたとしても、どのセグメントでどのようなサービス（番組）が放送されているかを把握することができないという問題がある。
【０００９】
しかしながら、放送局のウェブサイトからサービスのセグメント配置情報を取得するには、取得毎に放送局のウェブサイトにアクセスする必要があるため、取得に時間がかかるとともに、通信費がかかることが懸念される。また、チャンネル内のセグメントをスキャンしてサービスのセグメント配置情報を把握する場合には、全てのサービスのセグメント配置情報を把握するのに、時間がかかることが懸念される。
【００１０】
また、上記技術に限らず、所定のチャンネルにおいて、独自コンテンツのみを（連結）して放送することも考えられる。しかし、この場合においても、当該チャンネルにおけるサービスのセグメント配置を把握するには、上述した場合と同様に、当該チャンネルの放送局のウェブサイトにアクセスしたり、当該チャンネルのセグメントをスキャンしたりする必要があるため、同様の問題が生じることになる。
【００１１】
また、ＩＳＤＢ−Ｔｓｂ（ISDB for Terrestrial Sound Broadcasting）を採用する地上デジタル音声放送においても、放送地域に応じて、サービスのセグメント配置を変更したり、独自コンテンツを追加したりすることが考えられるが、これらの場合にも、同様の問題が生じることになる。
【００１２】
即ち、従来のデジタル放送技術は、放送装置や周波数配置の多様化のために、或る放送局の受信から、別の放送局（ギャップフィラーや別の地区の放送局など）の受信への切り替えをスムーズかつシームレスに行うことが極めて困難であった。
【００１３】
従って、かかる事情に鑑みてなされた本発明の目的は、多種多様な放送局間におけるデジタル放送の受信切り替えをスムーズかつシームレスに行うことができるデジタル放送受信装置を提供することである。
【課題を解決するための手段】
【００１４】
上述した諸課題を解決すべく、本発明によるデジタル放送受信装置は、
同一のサービスを複数の物理周波数で放送しているデジタル放送システムのデジタル放送受信装置であって、
同一のサービスを放送する複数の物理周波数を示す情報を、同一のチャンネル番号に対応付けて格納する記憶部と、
デジタル放送を受信している際に、当該デジタル放送の受信品質が劣化すると、当該受信しているデジタル放送のチャンネル番号に対応付けられた、前記記憶部に格納されている情報に示された他の物理周波数に基づいて、デジタル放送を受信するように制御する制御部と、
を具えることを特徴とする。
【００１５】
また、本発明の一実施態様によるデジタル放送受信装置は、
同一のサービスを複数の物理周波数で放送しているデジタル放送システムのデジタル放送受信装置であって、
同一のサービスを放送する複数の物理周波数を示す情報を、同一のチャンネル番号に対応付けて格納する記憶部と、
デジタル放送を受信するたびに、該受信に対応する物理周波数を示すデータを記録する記録部と、
デジタル放送の受信を終了してから新たにデジタル放送の受信を開始する際に、前記記録部に記録されているデータに示された物理周波数に基づいてデジタル放送を受信するように制御すると共に、該制御による受信において所定の受信品質が得られない場合は、当該データに示された物理周波数のチャンネル番号に対応付けられた、前記記憶部に格納されている情報に示された他の物理周波数に基づいて、デジタル放送を受信するように制御する制御部と、
を具えることを特徴とする。
【００１６】
また、前記物理周波数の各々を物理チャンネルとすることが好適である。また、前記物理周波数の各々を物理チャンネルとセグメントとを示す情報とすることが好適である。
【００１７】
また、本発明のさらなる実施態様によるデジタル放送受信装置では、
前記記憶部が、物理周波数を示す情報とチャンネル番号の対応付けが異なるチャンネルリストを地域毎に格納し、
前記制御部が、前記記憶部に格納されている情報に示された他の物理周波数に基づくデジタル放送の受信制御で所定の受信品質が得られない場合、現在の地域のチャンネルリストから、他の地域のチャンネルリストに切り替え、該切り替えたチャンネルリストに基づいて、類似のサービスを放送しているデジタル放送を受信するように制御する、
ことを特徴とする。
ここで、類似のサービスは、放送局の系列局の情報に基づいて判断することが可能である。また、放送局の系列局の情報は、事前に記憶部に格納しておいても良いし、デジタル放送のデータ放送で受信して得てもよい。また、インターネットなどへの通信部を具える装置の場合、通信ににより取得してもよい。
【００１８】
また、デジタル放送を受信し、該受信により得た情報に基づいて、前記記憶部に格納されている、同一のサービスを放送する複数の物理周波数を示す情報と、同一のチャンネル番号との対応付けを更新、或いは作成することが好適である。
【００１９】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００２０】
一例を挙げれば、本発明を方法として実現させた、別の実施態様によるデジタル放送受信装置の制御方法は、
同一のサービスを複数の物理周波数で放送しているデジタル放送システムのデジタル放送受信装置の制御方法であって、
同一のサービスを放送する複数の物理周波数を示す情報を、同一のチャンネル番号に対応付けて記憶部に格納する格納ステップと、
デジタル放送を受信している際に、当該デジタル放送の受信品質が劣化すると、当該受信しているデジタル放送のチャンネル番号に対応付けられた、前記記憶部に格納されている情報に示された他の物理周波数に基づいて、デジタル放送を受信するように制御する制御ステップと、
を有することを特徴とする。
【発明の効果】
【００２１】
本発明によれば、同一のサービスを放送する複数の物理周波数を示す情報を、同一のチャンネル番号に対応付け、これを利用することによって、チャンネルスキャンをする必要も無く、多種多様な放送局間におけるデジタル放送の受信切り替えをスムーズかつシームレスに行うことができるようになり、ユーザの利便性が格段に向上する。
【発明を実施するための最良の形態】
【００２２】
以降、諸図面を参照しながら、本発明の実施態様を詳細に説明する。最初に用語を説明する。「独自放送（サービス）(独自番組/自主番組)」とは、既存の放送局以外で作成されたサービス（番組）のことである。例えば、商店街や遊園地、美術館など限られたエリアや施設の情報を提供するサービス（番組）である。
【００２３】
図１は、本発明が適用される受信装置およびこれに放送波を提供する放送装置から構成される放送システムの構成図である。図に示すように、この放送システムは、受信装置１００、および放送装置２００，３００，４００から構成される。放送装置２００，４００は、一般的なデジタル放送システムの放送装置であり、１セグメント放送、即ち、１セグメント単独で受信可能である部分受信用のセグメントを使用したデジタル放送、および１２セグメントを使用した地上波テレビ用のデジタル放送を行っている。本デジタル放送システムでは、放送装置２００と放送装置３００とが、同一のサービスを放送しているが、放送装置２００が使用している物理周波数帯域と、放送装置３００が使用している物理周波数帯域とは異なるものである。即ち、放送装置２００から放送されるサービスの全て或いは一部が、放送装置３００から、放送装置２００が使用する物理周波数帯域とは別の物理周波数帯域を用いて放送される。また、放送装置３００は、放送装置２００が放送するサービスとは異なるサービス、例えば、独自放送（独自番組／自主番組）も放送している。本発明による受信装置１００は、放送装置２００がカバーする受信エリア内では、放送装置２００から放送されるデジタル放送を受信することが可能である。受信装置１００が、例えば、地下街などに入った場合に、放送装置２００からのデジタル放送が弱電界や圏外になり、受信継続が困難になる。逆に、地下街から地上に出て、放送装置３００からのデジタル放送が弱電界や圏外になり、受信継続が困難になる場合も発生する。このような場合は、受信装置１００は、放送装置２００のデジタル放送の受信と、放送装置３００のデジタル放送の受信とをチャンネルリスト、即ち、チャンネルテーブル（後で詳細に説明する）に基いてシームレスに切り替える。
【００２４】
或いは、受信装置１００が、例えば、放送装置２００から遠く離れてデジタル放送が弱電界や圏外になり、受信継続が困難になり、放送装置４００がカバーするエリアに入るケースも発生する。このような場合にも、受信装置１００は、放送装置２００のデジタル放送の受信と、放送装置４００のデジタル放送の受信とを、地域別のチャンネルリスト、即ち、地域別のチャンネルテーブル（後で詳細に説明する）を介してシームレスに切り替える。
【００２５】
図２は、放送装置３００のブロック図である。図に示すように、放送装置３００は、光ファイバから入力されるチャンネルの数に対応する数の受信部、即ち、ｃｈＡ受信部３１０Ａ、ｃｈＢ受信部３１０Ｂ、ｃｈＺ受信部３１０Ｚを具える。放送装置３００は、多重化処理部３２０、変調部３３０、送信部３４０、およびアンテナ３５０をさらに具える。ｃｈＡ受信部３１０Ａ、ｃｈＢ受信部３１０Ｂ、ｃｈＺ受信部３１０Ｚは、ＴＳ信号受信部３１２Ａ，３１２Ｂ，３１２Ｚ、サービス情報抽出部３１４Ａ，３１４Ｂ，３１４Ｚをそれぞれ具える。
【００２６】
ｃｈＡ受信部３１０Ａ、３１０Ｂは、本実施の形態では、既存の物理チャンネルの放送局に対応している。ここでは、便宜上、例えば、ｃｈＡ受信部３１０Ａは、物理チャンネルｃｈＡのＡＡＡテレビに対応し、ｃｈＢ受信部３１０Ｂは、物理チャンネルｃｈＢのＢＢＢテレビに対応するものとする。ｃｈＡ受信部３１０ＡのＴＳ信号受信部３１２Ａは、対応する放送局のコンテンツ記憶装置などから光ファイバなどの伝送手段を介して伝送されてくるｃｈＡ ＴＳ信号を受信し、サービス情報抽出部３１４ＡでＴＳ信号に含まれるサービス情報を抽出する。ｃｈＢ受信部３１０Ｂも、ｃｈＢ ＴＳ信号に対して同様の処理をそれぞれ行う。また、ｃｈＺ受信部３１０Ｚは、放送装置３００の独自放送（サービス）に対応している。ｃｈＺ受信部３１０ＺのＴＳ信号受信部３１２Ｚは、対応するコンテンツ記憶装置などから光ファイバなどの伝送手段を介して伝送されてくるｃｈＺ ＴＳ信号を受信し、サービス情報抽出部３１４ＺでＴＳ信号に含まれるサービス情報を抽出する。サービス情報抽出部３１４Ａ，３１４Ｂ，３１４Ｚは、ＴＳ信号受信部３１０Ａ，３１０Ｂ，３１０Ｚから供給されるＴＳ信号からサービス情報を抽出し、その抽出したサービス情報を多重化処理部３２０へ供給する。
【００２７】
多重化処理部３２０は、各チャンネルの部分受信用のＴＳ信号を、あらかじめ設定されたセグメント配置に基づき多重化する。このときデジタル放送の信号に適合するように制御信号などを追加する。変調部３３０は、多重化された信号をＯＦＤＭ信号に変換し送信部３４０に送る。送信部３４０は、ＯＦＤＭ信号を設定された値まで増幅しアンテナ３５０から出力する。
【００２８】
図３は、放送装置３００が送信するチャンネルのセグメント構成を示す図である。通常の放送局である放送装置３００は、図の上段に示すように、物理チャネル毎の中央のセグメント番号０を部分受信用のセグメントである１セグ放送に使用している。放送装置３００は、部分受信用のセグメント番号０の各サービスを１つの物理チャンネル内で連結放送する。また、放送装置３００は、独自番組を部分受信用のセグメントとして未使用のセグメント（例えば図３のセグメント番号１０）に配置することもできる。中央のセグメント番号０には、独自番組が配置されている。図３の下段のセグメント７が未使用であるように、各サービス（チャンネル）は完全に隙間なく連結しなくてもよく、このような形式も便宜上、連結放送と呼ぶものとする。
【００２９】
図４は、本発明の一実施態様による受信装置のブロック図である。図に示すように、受信装置１００は、制御部１１０、放送受信部１２０、受信状態検出部１３０、記憶部１４０、操作部１５０、表示部１６０、およびアンテナＡＮＴを具える。制御部１１０は、放送視聴部１１２と受信制御部１１４とを具える。放送視聴部１１２はデジタル放送を受信する機能を持ち、受信制御部１１４は受信を制御する機能を持つ。記憶部１４０は、チャンネルテーブル記憶部１４２とラストチャンネル記憶部１４４とを持つ。ラストチャンネル記憶部１４４は、前回の受信時において最後に受信したチャンネル「ラストチャンネル」を記憶する機能を持ち、チャンネルテーブル記憶部１４２は、チャンネルテーブル（チャンネルリスト）、デジタル放送の受信品質の劣化を検出するための閾値を記憶する機能を持つ。チャンネルテーブルは、選局するために必要な情報が記録されており、具体的には、親局およびその親局と同一のサービスを放送する放送装置にて送出されている放送の放送局、物理周波数（例えば、物理チャンネルやセグメント）、論理チャンネル（チャンネル番号）に関する情報が含まれている。この情報は通信やチャンネルスキャンによって作成または取得または更新可能である。この実施態様では、チャンネルテーブルに、あらかじめ親局と、その親局と同一のサービスを放送する放送装置（例えば放送装置３００）のチャンネル情報が登録されているものとする。また、チャンネルテーブルは、図５、図６のように放送エリア（例えば首都圏・中部・関西などの地域）ごとに存在する。受信状態検出部１３０は、放送波の受信状態を制御する機能を持つ。操作部１５０は、ユーザによるチャンネル選択などの諸操作を入力する機能を持つ。表示部１６０は、番組表や受信した放送を表示する機能を持つ。本発明による受信装置では、チャンネルテーブルを参照することで、チャンネルスキャンをする必要も無く、シームレスに受信対象の放送局の切り替えを行うことができる。また、放送局・放送内容（ネットワークＩＤやサービスＩＤ）が等しいということで、親局とその親局と同一のサービスを放送する放送装置の情報を直接関連付けることが可能なため、１つのチャンネルテーブルに親局と上記放送装置の情報をまとめて載せることができ、相互の情報のすばやい参照が可能となる。また、上記放送装置が独自放送を行う場合、独自放送の情報をチャンネルテーブルに格納することによって、ユーザに独自放送がある旨を通知することが可能となる。上記放送装置として、中継所設備やスポット放送装置やギャップフィラーなどの装置がある。なお、ギャップフィラーとは、電波の届きにくい地域や場所にアンテナや漏洩ケーブルなどを使用して電波を連結する設備のことである。制御部１１０は、他の構成部と協働して、デジタル放送の受信品質を検出する。
【００３０】
図５は、第１のチャンネルテーブルを示す図である。図に示すように、チャンネルテーブル（チャンネルリスト）はエリア別にあり、この例では、首都圏用チャンネルテーブルＬ１、中部用チャンネルテーブルＬ２、関西用チャンネルテーブルＬ３がある。ここででは、物理周波数を、物理チャンネルとセグメントとのセットで規定している。例えば、首都圏用チャンネルテーブルＬ１の放送局ＭＨＫは、論理チャンネル（チャンネル番号）１であり、この論理チャンネル１には、首都圏の放送装置（親局、放送装置２００に相当する）の物理チャンネル２５とセグメント番号０とのセット、首都圏と同一サービスを放送する放送装置（放送装置３００に相当する）の物理チャンネル５０とセグメント番号３とのセットが、それぞれ関連付けられている。この例の放送装置３００は、物理チャンネル５０に、複数の部分受信可能なセグメントを連結して放送している。このように、１つの論理チャンネルに複数の放送局から送信される、複数の物理周波数を示す情報（物理チャンネルとセグメント番号とのセット）を関連付けておけば、放送局や受信する周波数が変化しても、画面表示上は同じ論理チャンネルの番号が表示されることとなる。
【００３１】
図６は、第２のチャンネルテーブルを示す図である。図に示すように、チャンネルテーブルはエリア別にあり、この例では、関東用チャンネルテーブルＬ４、中部用チャンネルテーブルＬ５、関西用チャンネルテーブルＬ６がある。ここでは、物理周波数を、周波数（物理チャンネル）そのもので規定している。例えば、関東用チャンネルテーブルＬ１の放送局ＭＨＫは、論理チャンネル（チャンネル番号）１であり、この論理チャンネル１には、関東の放送装置（親局、放送装置２００に相当する）の周波数５７５ＭＨｚ、親局と同一サービスを放送する放送装置（放送装置３００に相当する）の周波数７１３ＭＨｚが、それぞれ関連付けられている。この例の放送装置３００は、別個の物理周波数（物理チャンネル）で、各論理チャンネル用のサービス（番組）を放送している。
【００３２】
＜実施態様１＞
図７は、親局（例えば放送装置２００）より受信しているチャンネルから親局と同一サービスを放送する放送装置（例えば放送装置３００）のチャンネルへ、または、その逆にチャンネルを切り替える際のフローを示すフローチャートである。即ち、ここでは、ユーザが放送装置２００または放送装置３００のデジタル放送を受信できるエリアから、放送装置３００または放送装置２００のデジタル放送を受信できる他のエリアへ移動したとする。
【００３３】
図に示すように、ステップＳ１１にて、デジタル放送のチャンネルＡを受信する。次に、ステップＳ１２にて、受信品質（例えば、受信感度や受信画像品質など）が任意の閾値Ｎ以下になるか否かの検査をし続ける。そして、チャンネルＡの受信品質が任意の閾値Ｎよりも小さくなった場合、ステップＳ１３に進み、チャンネルテーブル記憶部１１２に格納してあるチャンネルテーブルを参照する。参照したチャンネルテーブルに応じて、例えば、チャンネルＡが放送局２００（親局）のものであるならば、それに対応する放送局３００のチャンネルＰを選局し（ステップＳ１４）、チャンネルＰを表示して（ステップＳ１６）、処理を終える。或いは、参照したチャンネルテーブルに応じて、例えば、チャンネルＡが放送装置３００のものであるならば、それに対応する放送装置２００（親局）のチャンネルＰを選局し（ステップＳ１４）、チャンネルＰを表示して（ステップＳ１６）、処理を終える。選局したチャンネルが受信できなければ（ステップＳ１５）、ステップＳ１７に進み、「受信できません」と受信できない旨（メッセージ）を表示して、処理を終える。ここで、チャンネルＡ，Ｐは、ある物理チャンネルに収容されたあるセグメント番号、或いは、１つの物理チャンネルでもよい。
【００３４】
＜実施態様２＞
図８は、デジタル放送の視聴を開始し、ラストチャンネルを受信する際のフローを示すフローチャートである。図に示すように、ステップ２１にて、放送視聴部１１２はラストチャンネル記憶部１４４に記憶されているラストチャンネルの受信を開始する。次に、ステップＳ２２にて、受信品質が任意の閾値Ｎ以下になるか否かの検査をし続ける。そして、チャンネルＡの受信開始時に受信品質が任意の閾値Ｎよりも小さくなった場合、ステップＳ２３に進み、チャンネルテーブルを参照する。そして、ステップＳ２４にて、参照したチャンネルテーブルに応じて、例えば、チャンネルＡが放送装置２００（親局）のものであるならば、対応する放送装置３００のチャンネルＰを選局し、当該チャンネルＰを受信できた場合はチャンネルＰを表示して（ステップＳ２６）、処理を終える。或いは、参照したチャンネルテーブルに応じて、例えば、チャンネルＡが放送装置３００のものであるならば、対応する放送装置２００（親局）のチャンネルＰを選局し（ステップＳ２４）、当該チャンネルＰを受信できた場合はチャンネルＰを表示して（ステップＳ２６）、処理を終える。ステップＳ２５にて、選局したチャンネルが受信できなかった場合は、ステップＳ２７に進み、「受信できません」と受信できない旨（メッセージ）を表示して、処理を終える。
【００３５】
＜実施態様３＞
図９は、デジタル放送視聴時に弱電界になり、チャンネルテーブルの地域を切り替えるフローを示すフローチャートである。ここではユーザは放送地域を移動したとする。即ち、図１において、受信装置１００が、放送装置２００の受信エリアから放送装置４００の受信エリアに次第に移動したケースを想定する。図９に示すように、ステップＳ３１にて、デジタル放送のチャンネルＡを受信する。この後、ステップＳ３２にて、受信品質が任意の閾値Ｎ以下になるか否かの検査をし続ける。チャンネルＡ受信中に受信品質が任意の閾値Ｎよりも小さくなった場合、ステップＳ３３に進み、チャンネルテーブルを参照する。そして、ステップＳ３４にて、参照したチャンネルテーブルに応じて、例えば、チャンネルＡが放送装置２００（親局）のものであるならば、それに対応する放送装置３００のチャンネルＰを選局し、受信できた場合はチャンネルＰを表示して（ステップＳ３６）、処理を終える。或いは、チャンネルＡが放送装置３００のものであるならば、参照したチャンネルテーブルに応じて、それに対応する放送装置２００（親局）のチャンネルＰを選局し（ステップＳ３４）、受信できた場合は、チャンネルＰを表示して（ステップＳ３６）、処理を終える。ステップＳ３５にて、選局したチャンネルが受信できなかった場合は、ステップＳ３７に進み、チャンネルテーブルを異なった地域のものに切り替えて参照する。次に、ステップＳ３８にて、参照したチャンネルテーブルから、チャンネルＡに対応する異なった地域のチャンネルＱを見付け、見付けたチャンネルＱを選局し、受信できた場合はチャンネルＱを表示して（ステップＳ４０）、処理を終える。ステップＳ３９にて、選局したチャンネルが受信できなければ、ステップＳ４１に進み「受信できません」と受信できない旨（メッセージ）を表示して、処理を終える。
【００３６】
＜実施態様４＞
図１０は、チャンネルテーブルの地域を切り替えるフローを示すフローチャートである。図に示すように、デジタル放送の受信を開始した後、放送視聴部１１２はラストチャンネル記憶部１４４に格納されているラストチャンネルの受信を開始する（ステップＳ５１）。この後、ステップＳ５２にて、受信品質が任意の閾値Ｎ以下になるか否かの検査をし続ける。チャンネルＡの受信品質が任意の閾値Ｎよりも小さくなった場合、ステップＳ５３に進み、チャンネルテーブルを参照する。そして、ステップＳ５３にて参照したチャンネルテーブルに応じて、例えば、チャンネルＡが放送装置２００（親局）のものであるならば、それに対応する放送装置３００のチャンネルＰを選局し（ステップＳ５４）、当該チャンネルを受信できた場合は、チャンネルＰを表示して（ステップＳ５６）、処理を終える。或いは、チャンネルＡが放送装置３００のものであるならば、参照したチャンネルテーブルに応じて、それに対応する放送装置２００（親局）のチャンネルＰを選局し（ステップＳ５４）、当該チャンネルを受信できた場合は、チャンネルＰを表示して（ステップＳ５６）、処理を終える。ステップＳ５５にて、選局したチャンネルが受信できなかった場合は、ステップＳ５７に進み、チャンネルテーブルを異なった地域のものに切り替えて参照する。ステップＳ５７にて参照したチャンネルテーブルから、チャンネルＡに対応する異なった地域のチャンネルＱを見付け、見付けたチャンネルＱを選局し（ステップＳ５８）、当該チャンネルを受信できた場合は、チャンネルＱを表示して（ステップＳ６０）、処理を終える。
ステップＳ５９にて、選局した当該チャンネルを受信できなかった場合は、ステップＳ６１に進み、「受信できません」と受信できない旨（メッセージ）を表示して、処理を終える。
【００３７】
＜実施態様５＞
図１１は、放送装置３００からの放送に切り替えた際に、独自放送がある可能性がある旨を表示する場合のフローを示すフローチャートである。即ち、図１において、受信装置１００が、放送装置２００の受信エリアから放送装置３００の受信エリアに次第に移動したケースを想定する。図１１に示すように、ステップＳ７１にて、放送装置３００からの受信を開始する。次に、ステップＳ７２にて、表示部１６０に独自放送を視聴できる可能性がある旨（メッセージ）を表示する。図１２に、独自放送を視聴できる可能性がある旨を通知する表示例を示す。図１２に示すように、「独自放送を視聴できる可能性があります」というテキストと、画面上の恐竜の図表は一例であり、当該独自放送の対象を表す図、写真、絵、アイコンなどを表示することが可能である。
【００３８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。また、放送装置３００は、実施例の連結放送に限らず、サービスを別個の物理チャンネルの任意のセグメントにより放送（送信）されるものであってもよい。
【図面の簡単な説明】
【００３９】
【図１】本発明が適用される受信装置およびこれに放送波を提供する放送装置から構成される放送システムの構成図である。
【図２】放送装置３００のブロック図である。
【図３】放送装置３００が送信するチャンネルのセグメント構成を示す図である。
【図４】本発明の一実施態様による受信装置のブロック図である。
【図５】第１のチャンネルテーブルを示す図である。
【図６】第２のチャンネルテーブルを示す図である。
【図７】チャンネルを切り替える際のフローを示すフローチャートである。
【図８】デジタル放送の視聴を開始し、ラストチャンネルを受信する際のフローを示すフローチャートである。
【図９】デジタル放送視聴時に弱電界になり、チャンネルテーブルの地域を切り替えるフローを示すフローチャートである。
【図１０】チャンネルテーブルの地域を切り替えるフローを示すフローチャートである。
【図１１】放送装置３００からの放送に切り替えた際に、独自放送がある可能性がある旨を表示する場合のフローを示すフローチャートである。
【図１２】独自放送を視聴できる可能性がある旨を通知する表示例を示す図である。
【符号の説明】
【００４０】
１００  受信装置
１１０  制御部
１１２  放送視聴部
１１４  受信制御部
１２０  放送受信部
１３０  受信状態検出部
１４０  記憶部
１４２  チャンネルテーブル記憶部
１４４  ラストチャンネル記憶部
１５０  操作部
１６０  表示部
ＡＮＴ  アンテナ
Ｌ１−Ｌ６  チャンネルテーブル
２００，３００，４００  放送装置
３１０Ａ，３１０Ｂ，３１０Ｚ  ｃｈＡ信号受信部、ｃｈＢ信号受信部、ｃｈＺ信号受信部
３１２Ａ，３１２Ｂ，３１２Ｚ  ＴＳ信号受信部
３１４Ａ，３１４Ｂ，３１４Ｚ  サービス情報抽出部
３２０  多重化処理部
３３０  変調部
３４０  送信部
３５０  アンテナ
【図１】
2008289018.tif 000003
【図２】
2008289018.tif 000004
【図３】
2008289018.tif 000005
【図４】
2008289018.tif 000006
【図５】
2008289018.tif 000007
【図６】
2008289018.tif 000008
【図７】
2008289018.tif 000009
【図８】
2008289018.tif 000010
【図９】
2008289018.tif 000011
【図１０】
2008289018.tif 000012
【図１１】
2008289018.tif 000013
【図１２】
2008289018.tif 000014